【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
テレビ受信機であって、
第１の地域の放送信号を受信する受信手段と、
前記第１の地域で放送される番組に関する番組情報、及び第２の地域で放送される番組に関する番組情報を取得する取得手段と、
前記取得手段により取得された番組情報に基づいて、前記第１及び第２の地域の両方で放送される共通番組のうち、前記第１の地域における放送時刻が前記第２の地域における放送時刻よりも早い共通番組を検出し、当該検出された共通番組を蓄積部に蓄積させる制御手段
とを備え、
前記制御手段は、前記第２の地域における前記検出された共通番組の放送時刻に合わせて前記蓄積部に蓄積された共通番組を再生できることを通知することを特徴とするテレビ受信機。
【請求項２】
前記制御手段は、前記第２の地域における前記検出された共通番組の放送時刻に合わせて、前記蓄積部に蓄積された共通番組を再生可能であることを通知するための番組表を生成することを特徴とする請求項１に記載のテレビ受信機。
【請求項３】
前記取得手段は、
前記第１の地域で放送される番組に関する番組情報を、前記受信手段により受信された放送信号から抽出し、
前記第２の地域で放送される番組に関する番組情報を、ネットワークを介して取得することを特徴とする請求項１に記載のテレビ受信機。
【請求項４】
前記取得手段は、前記第２の地域の放送信号を受信する他のテレビ受信機、又は、前記第２の地域を含む複数の地域で放送される番組に関する番組情報を管理する番組情報提供装置から、ネットワークを介して、前記第２の地域で放送される番組に関する番組情報を取得することを特徴とする請求項３に記載のテレビ受信機。
【請求項５】
テレビ受信機であって、
第１の地域の放送信号を受信する受信手段と、
前記第１の地域で放送される番組に関する番組情報、及び第２の地域で放送される番組に関する番組情報を取得する取得手段と、
前記取得手段により取得された番組情報に基づいて、前記第１及び第２の地域の両方で放送される共通番組のうち、前記第２の地域における放送時刻が前記第１の地域における放送時刻よりも早い共通番組を検出し、前記第２の地域の放送信号を受信する他のテレビ受信機に対して、当該検出された共通番組を蓄積させる蓄積要求信号を送信する制御手段
とを備え、
前記制御手段は、前記第１の地域における前記検出された共通番組の放送時刻に合わせて前記他のテレビ受信機に蓄積された共通番組を再生できることを通知することを特徴とするテレビ受信機。
【請求項６】
前記制御手段は、前記第１の地域における前記検出された共通番組の放送時刻に合わせて、前記他のテレビ受信機に蓄積された共通番組を再生させる再生要求信号を、前記他のテレビ受信機に対して送信することを特徴とする請求項５に記載のテレビ受信機。
【請求項７】
情報処理方法であって、
第１の地域の放送信号を受信する受信ステップと、
前記第１の地域で放送される番組に関する番組情報、及び第２の地域で放送される番組に関する番組情報を取得する取得ステップと、
前記取得ステップで取得した番組情報に基づいて、前記第１及び第２の地域の両方で放送される共通番組のうち、前記第１の地域における放送時刻が前記第２の地域における放送時刻よりも早い共通番組を検出し、当該検出された共通番組を蓄積部に蓄積させる制御ステップと、
前記第２の地域における前記検出された共通番組の放送時刻に合わせて、前記蓄積部に蓄積された共通番組を再生可能であることを通知する通知ステップ
とを備えることを特徴とする情報処理方法。
【請求項８】
情報処理方法であって、
第１の地域の放送信号を受信する受信ステップと、
前記第１の地域で放送される番組に関する番組情報、及び第２の地域で放送される番組に関する番組情報を取得する取得ステップと、
前記取得ステップで取得した番組情報に基づいて、前記第１及び第２の地域の両方で放送される共通番組のうち、前記第２の地域における放送時刻が前記第１の地域における放送時刻よりも早い共通番組を検出し、前記第２の地域の放送信号を受信するテレビ受信機に対して、当該検出された共通番組を蓄積させる蓄積要求信号を送信する制御ステップと、
前記第１の地域における前記検出された共通番組の放送時刻に合わせて、前記テレビ受信機に蓄積された共通番組を再生可能であることを通知する通知ステップ
とを備えることを特徴とする情報処理方法。
【請求項９】
請求項７または請求項８に記載の情報処理方法の各ステップをコンピュータに実行させるためのプログラムコードを有する、コンピュータで実行可能なプログラム。
【手続補正２】
【補正対象書類名】明細書
【補正対象項目名】００１４
【補正方法】変更
【補正の内容】
【００１４】
本発明は、同時視聴の機会を増やすことのできるテレビ受信機、情報処理方法及びプログラムを提示することを目的とする。
【手続補正３】
【補正対象書類名】明細書
【補正対象項目名】００１５
【補正方法】変更
【補正の内容】
【００１５】
本発明に係るテレビ受信機は、テレビ受信機であって、第１の地域の放送信号を受信する受信手段と、前記第１の地域で放送される番組に関する番組情報、及び第２の地域で放送される番組に関する番組情報を取得する取得手段と、前記取得手段により取得された番組情報に基づいて、前記第１及び第２の地域の両方で放送される共通番組のうち、前記第１の地域における放送時刻が前記第２の地域における放送時刻よりも早い共通番組を検出し、当該検出された共通番組を蓄積部に蓄積させる制御手段とを備え、前記制御手段は、前記第２の地域における前記検出された共通番組の放送時刻に合わせて前記蓄積部に蓄積された共通番組を再生できることを通知することを特徴とする。
【手続補正４】
【補正対象書類名】明細書
【補正対象項目名】００１６
【補正方法】変更
【補正の内容】
【００１６】
本発明に係るテレビ受信機は、テレビ受信機であって、第１の地域の放送信号を受信する受信手段と、前記第１の地域で放送される番組に関する番組情報、及び第２の地域で放送される番組に関する番組情報を取得する取得手段と、前記取得手段により取得された番組情報に基づいて、前記第１及び第２の地域の両方で放送される共通番組のうち、前記第２の地域における放送時刻が前記第１の地域における放送時刻よりも早い共通番組を検出し、前記第２の地域の放送信号を受信する他のテレビ受信機に対して、当該検出された共通番組を蓄積させる蓄積要求信号を送信する制御手段とを備え、前記制御手段は、前記第１の地域における前記検出された共通番組の放送時刻に合わせて前記他のテレビ受信機に蓄積された共通番組を再生できることを通知することを特徴とする。
【手続補正５】
【補正対象書類名】明細書
【補正対象項目名】００１７
【補正方法】変更
【補正の内容】
【００１７】
本発明に係る情報処理方法は、情報処理方法であって、第１の地域の放送信号を受信する受信ステップと、前記第１の地域で放送される番組に関する番組情報、及び第２の地域で放送される番組に関する番組情報を取得する取得ステップと、前記取得ステップで取得した番組情報に基づいて、前記第１及び第２の地域の両方で放送される共通番組のうち、前記第１の地域における放送時刻が前記第２の地域における放送時刻よりも早い共通番組を検出し、当該検出された共通番組を蓄積部に蓄積させる制御ステップと、前記第２の地域における前記検出された共通番組の放送時刻に合わせて、前記蓄積部に蓄積された共通番組を再生可能であることを通知する通知ステップとを備えることを特徴とする。
【手続補正６】
【補正対象書類名】明細書
【補正対象項目名】００１８
【補正方法】変更
【補正の内容】
【００１８】
本発明に係る情報処理方法は、情報処理方法であって、第１の地域の放送信号を受信する受信ステップと、前記第１の地域で放送される番組に関する番組情報、及び第２の地域で放送される番組に関する番組情報を取得する取得ステップと、前記取得ステップで取得した番組情報に基づいて、前記第１及び第２の地域の両方で放送される共通番組のうち、前記第２の地域における放送時刻が前記第１の地域における放送時刻よりも早い共通番組を検出し、前記第２の地域の放送信号を受信するテレビ受信機に対して、当該検出された共通番組を蓄積させる蓄積要求信号を送信する制御ステップと、前記第１の地域における前記検出された共通番組の放送時刻に合わせて、前記テレビ受信機に蓄積された共通番組を再生可能であることを通知する通知ステップとを備えることを特徴とする。